【手続補正書】
【提出日】平成15年7月3日(2003.7.3)
【手続補正１】
【補正対象書類名】明細書
【補正対象項目名】特許請求の範囲
【補正方法】変更
【補正の内容】
【特許請求の範囲】
【請求項１】
複数の試薬パックを備えた試薬取扱装置において、各々の試薬パックが、
それぞれ、実質的に垂直な第１と第２の端部壁、およびそれらの間に配置された実質的に垂直な第１と第２の側壁により画成された第１と第２の端部であって、前記端部壁および前記側壁が上側縁および下側縁を有している第１と第２の端部、
前記第１と第２の端部壁および前記第１と第２の側壁に密封可能に取り付けられ、前記下側縁に近接して配置された床表面、
前記第１の側壁から前記第２の側壁まで前記試薬パックを横断して配置された少なくとも１つの中間壁であって、該中間壁が前記端部壁の中間にあり、前記床表面から前記上側縁まで延びている中間壁、および
各々が、前記側壁のそれぞれ１つの上に配置され、前記側壁のもう一方に延びている１組の混合バッフルであって、該バッフルの両方が少なくとも１つの中間壁で近接して配置され、該バッフルの一方が、もう一方のバッフルよりも前記第１の端部により近接している混合バッフル、
を有してなることを特徴とする試薬取扱装置。
【請求項２】
前記端部壁、前記側壁、前記少なくとも１つの中間壁、および前記床表面が、前記上側縁で開いた複数のチャンバを画成することを特徴とする請求項１記載の試薬取扱装置。
【請求項３】
前記床表面が複数の凹部領域を有し、該凹部領域の各々が前記チャンバのそれぞれ１つと関連していることを特徴とする請求項２記載の試薬取扱装置。
【請求項４】
前記チャンバの各々の内部の前記床表面が、前記それぞれの凹部領域に向かって傾いていることを特徴とする請求項３記載の試薬取扱装置。
【請求項５】
前記バッフルの各々が前記床表面から前記側壁の上側縁まで延びていることを特徴とする請求項１記載の試薬取扱装置。
【請求項６】
前記バッフルが、前記複数のチャンバの１つを実質的に等しい容積を有する２つのサブチャンバに区切り、該サブチャンバが該バッフルの間に形成されたスロート領域により相互に接続されていることを特徴とする請求項５記載の試薬取扱装置。
【請求項７】
前記バッフルの各々が前記側壁の間の距離の半分より長く延びていることを特徴とする請求項１記載の試薬取扱装置。
【請求項８】
前記試薬パックが複数の貫通可能な領域を有する蓋を備え、前記上側縁に配置可能な該蓋が前記複数のチャンバを完全に覆うことを特徴とする請求項４記載の試薬取扱装置。
【請求項９】
前記複数の貫通可能な領域がそれぞれのチャンバの上に各々垂直に位置合せされていることを特徴とする請求項８記載の試薬取扱装置。
【請求項１０】
前記複数の貫通可能な領域がそれぞれの凹部領域の上に各々実質的に位置合せされていることを特徴とする請求項８記載の試薬取扱装置。
【請求項１１】
前記複数の貫通可能な領域が少なくとも１種類の貫通可能なフイルムから各々形成されていることを特徴とする請求項８記載の試薬取扱装置。
【請求項１２】
複数の試薬パックスライドを備え、該スライドの各々が、前記試薬取扱装置内でその上に配置されたそれぞれの試薬パックを移動させることを特徴とする請求項１記載の試薬取扱装置。
【請求項１３】
第１の軸に沿って近接した関係で前記複数の試薬パックスライドを摺動可能に維持するトレイを備えていることを特徴とする請求項１２記載の試薬取扱装置。
【請求項１４】
前記トレイに機械的に接続された傾斜駆動装置およびヒンジであって、該ヒンジを通る前記第１の軸の周りに前記トレイを選択可能に傾けるための傾斜駆動装置およびヒンジを備えていることを特徴とする請求項１３記載の試薬取扱装置。
【請求項１５】
少なくとも１つの試薬プローブを有する少なくとも１つの試薬プローブ移動装置を備え、前記少なくとも１つのプローブ移動装置が、該少なくとも１つの試薬プローブを前記試薬パックの選択された１つの中に選択可能に配置するように前記トレイに近接した前記第１の軸に沿って移動可能であることを特徴とする請求項１４記載の試薬取扱装置。
【請求項１６】
前記傾斜駆動装置が、水平線に関して傾いた前記トレイにより画成される吸引位置を有し、前記床表面の低い地点が前記少なくとも１つの試薬プローブに関して実質的に垂直に位置合せされていることを特徴とする請求項１５記載の試薬取扱装置。
【請求項１７】
前記少なくとも１つの試薬プローブ移動装置が、前記試薬パックの側壁に対して実質的に平行かつ前記第１の軸に対して垂直な軸に沿って前記少なくとも１つの試薬プローブを移動させるための駆動手段を備えていることを特徴とする請求項１５記載の試薬取扱装置。
【請求項１８】
前記ヒンジを介して前記トレイとつながって、その上に配置された試薬パックを冷却するためのトレイ冷却板を付与する冷却手段を備えていることを特徴とする請求項１４記載の試薬取扱装置。
【請求項１９】
流体物質を供給するための試薬パックにおいて、
側面、端部および底部を有する細長い容器であって、該側面および端部が上側縁を有し、該底部とともにチャンバを画成し、該チャンバが前記流体材料を保持するものである容器と、
前記チャンバ内に配置されたバッフルであって、該バッフルが、前記パックが前記側面に垂直な水平軸の周りに揺り動かされたときに、前記流体物質内に乱流を生じるように動作するバッフルと、を有してなる試薬パック。
【請求項２０】
前記側面を横切って配置され、前記側面、端部および底部とともに、前記流体物質を保持する複数のサブチャンバを画成する少なくとも１つの中間壁を備えることを特徴とする請求項１９記載の試薬パック。
【請求項２１】
前記底部が前記チャンバ内に配置された凹部を備えていることを特徴とする請求項１９記載の試薬パック。
【請求項２２】
前記バッフルが、前記チャンバ内でその中に配置された複数の実質的に垂直な側面突起物を備え、該突起物のうちの２つが、前記チャンバを該突起物により画成されたスロート領域により接続されている部分に区切ることを特徴とする請求項１９記載の試薬パック。
【請求項２３】
前記上側縁にある使い捨ての蓋を備えていることを特徴とする請求項１９記載の試薬パック。
【請求項２４】
前記蓋が複数の開口部を有し、該開口部の各々が前記チャンバのそれぞれの１つの上に同時に配置できることを特徴とする請求項２３記載の試薬パック。
【手続補正２】
【補正対象書類名】明細書
【補正対象項目名】００４６
【補正方法】変更
【補正の内容】
【００４６】
上述した本発明のこれら並びに他の実施の形態は、例示を目的としたものであり、本発明の実際の範囲は以下の実施態様から決定すべきものである。
以下、本発明の好ましい実施態様を項分け記載する。
（実施態様１）
複数の試薬パックを備えた試薬取扱装置において、各々の試薬パックが、
対向して平行な端部壁、該端部壁に対して実質的に垂直な対向して平行な側壁、該端部壁と側壁に取り付けられそれらの下側縁に近接した床表面、および前記端部壁に対して実質的に平行で前記側壁の間に配置された少なくとも１つの中間壁により形成された複数のチャンバであって、前記端部壁、側壁および中間壁がパックの上側縁を画成している複数のチャンバ、および
該チャンバの少なくとも１つの内部に配置された混合バッフルであって、流体が該混合バッフルを通過するときに、前記少なくとも１つのチャンバ内の流体を混合するように作用する混合バッフル、
を有してなることを特徴とする試薬取扱装置。
（実施態様２）
前記混合バッフルの各々が、前記床表面から前記パックの上側縁までの前記側壁にそれぞれ１つ配置されていることを特徴とする実施態様１記載の試薬取扱装置。
（実施態様３）
前記混合バッフルのうちの１つが別の混合バッフルよりも前記第１の端部により近接して配置されていることを特徴とする実施態様１記載の試薬取扱装置。
（実施態様４）
前記混合バッフルが、前記複数のチャンバのうちの１つを、実質的に等しい容積を有する２つのサブチャンバに区切り、該サブチャンバが前記混合バッフルの間に形成されたスロート領域により相互に接続されていることを特徴とする実施態様１記載の試薬取扱装置。
（実施態様５）
前記混合バッフルの各々が前記側壁の間で前記試薬パックを横切って半分より長く延びていることを特徴とする実施態様１記載の試薬取扱装置。
（実施態様６）
前記床表面が複数の凹部領域を有し、該凹部領域の各々が前記複数のチャンバのそれぞれ１つと関連していることを特徴とする実施態様１記載の試薬取扱装置。
（実施態様７）
前記試薬パックがさらに複数の貫通可能な領域を有する蓋を備え、前記パックの上側縁の配置可能な該蓋が、前記複数のチャンバを完全に覆うことを特徴とする実施態様６記載の試薬取扱装置。
（実施態様８）
前記複数の貫通可能な領域が、前記複数のチャンバのそれぞれの１つの上に各々位置合せされていることを特徴とする実施態様７記載の試薬取扱装置。
（実施態様９）
前記複数の貫通可能な領域が少なくとも１種類の貫通可能なフイルムから各々形成されていることを特徴とする実施態様７記載の試薬取扱装置。
（実施態様１０）
複数の試薬パックスライドを備え、該スライドの各々が、前記試薬取扱装置内でその上に配置されたそれぞれの試薬パックを摺動可能に移動させることを特徴とする実施態様１記載の試薬取扱装置。
（実施態様１１）
第１の軸に沿って近接した関係で前記複数の試薬パックスライドを摺動可能に維持するトレイを備えていることを特徴とする実施態様１０記載の試薬取扱装置。
（実施態様１２）
前記トレイに機械的に接続された傾斜駆動装置およびヒンジであって、該ヒンジを通る前記第１の軸の周りに前記トレイを選択可能に傾けるための傾斜駆動装置およびヒンジを備えていることを特徴とする実施態様１１記載の試薬取扱装置。
（実施態様１３）
少なくとも１つの試薬プローブを有する少なくとも１つの試薬プローブ移動装置を備え、前記少なくとも１つのプローブ移動装置が、該少なくとも１つの試薬プローブを前記試薬パックの選択された１つの中に選択可能に配置するように前記トレイに近接した前記第１の軸に沿って移動可能であることを特徴とする実施態様１２記載の試薬取扱装置。
（実施態様１４）
前記傾斜駆動装置が、水平線に関して傾いた前記トレイにより画成される吸引位置を有し、前記床表面の低い地点が前記少なくとも１つの試薬プローブに関して実質的に垂直に位置合せされていることを特徴とする実施態様１３記載の試薬取扱装置。
（実施態様１５）
前記少なくとも１つの試薬プローブ移動装置が、前記試薬パックの側壁に対して実質的に平行かつ前記第１の軸に対して垂直な軸に沿って前記少なくとも１つの試薬プローブを移動させるための駆動手段を備えて、前記少なくとも１つの試薬プローブを前記チャンバの選択された１つの中に選択可能に配置することを特徴とする実施態様１３記載の試薬取扱装置。
（実施態様１６）
前記ヒンジを介して前記トレイとつながってその上に配置された試薬パックを冷却するためのトレイ冷却板を付与する冷却手段を備えていることを特徴とする実施態様１２記載の試薬取扱装置。
（実施態様１７）
複数の試薬パックを備えた試薬取扱装置において、各々の試薬パックが、
それぞれ、実質的に垂直な第１と第２の端部壁、およびそれらの間に配置された実質的に垂直な第１と第２の側壁により画成された第１と第２の端部であって、前記端部壁および前記側壁が上側縁および下側縁を有している第１と第２の端部、
前記第１と第２の端部壁および前記第１と第２の側壁に密封可能に取り付けられ、前記下側縁に近接して配置された床表面、
前記第１の側壁から前記第２の側壁まで前記試薬パックを横断して配置された少なくとも１つの中間壁であって、該中間壁が前記端部壁の中間にあり、前記床表面から前記上側縁まで延びている中間壁、および
各々が、前記側壁のそれぞれ１つの上に配置され、前記側壁のもう一方に延びている１組の混合バッフルであって、該バッフルの両方が少なくとも１つの中間壁で近接して配置され、該バッフルの一方が、もう一方のバッフルよりも前記第１の端部により近接している混合バッフル、
を有してなることを特徴とする試薬取扱装置。
（実施態様１８）
前記端部壁、前記側壁、前記少なくとも１つの中間壁、および前記床表面が、前記上側縁で開いた複数のチャンバを画成することを特徴とする実施態様１７記載の試薬取扱装置。
（実施態様１９）
前記床表面が複数の凹部領域を有し、該凹部領域の各々が前記チャンバのそれぞれ１つと関連していることを特徴とする実施態様１８記載の試薬取扱装置。
（実施態様２０）
前記チャンバの各々の内部の前記床表面が、前記それぞれの凹部領域に向かって傾いていることを特徴とする実施態様１９記載の試薬取扱装置。
（実施態様２１）
前記バッフルの各々が前記床表面から前記側壁の上側縁まで延びていることを特徴とする実施態様１７記載の試薬取扱装置。
（実施態様２２）
前記バッフルが、前記複数のチャンバの１つを実質的に等しい容積を有する２つのサブチャンバに区切り、該サブチャンバが該バッフルの間に形成されたスロート領域により相互に接続されていることを特徴とする実施態様２１記載の試薬取扱装置。
（実施態様２３）
前記バッフルの各々が前記側壁の間の距離の半分より長く延びていることを特徴とする実施態様１７記載の試薬取扱装置。
（実施態様２４）
前記試薬パックが複数の貫通可能な領域を有する蓋を備え、前記上側縁に配置可能な該蓋が前記複数のチャンバを完全に覆うことを特徴とする実施態様２０記載の試薬取扱装置。
（実施態様２５）
前記複数の貫通可能な領域がそれぞれのチャンバの上に各々垂直に位置合せされていることを特徴とする実施態様２４記載の試薬取扱装置。
（実施態様２６）
前記複数の貫通可能な領域がそれぞれの凹部領域の上に各々実質的に位置合せされていることを特徴とする実施態様２４記載の試薬取扱装置。
（実施態様２７）
前記複数の貫通可能な領域が少なくとも１種類の貫通可能なフイルムから各々形成されていることを特徴とする実施態様２４記載の試薬取扱装置。
（実施態様２８）
複数の試薬パックスライドを備え、該スライドの各々が、前記試薬取扱装置内でその上に配置されたそれぞれの試薬パックを移動させることを特徴とする実施態様１７記載の試薬取扱装置。
（実施態様２９）
第１の軸に沿って近接した関係で前記複数の試薬パックスライドを摺動可能に維持するトレイを備えていることを特徴とする実施態様２８記載の試薬取扱装置。
（実施態様３０）
前記トレイに機械的に接続された傾斜駆動装置およびヒンジであって、該ヒンジを通る前記第１の軸の周りに前記トレイを選択可能に傾けるための傾斜駆動装置およびヒンジを備えていることを特徴とする実施態様２９記載の試薬取扱装置。
（実施態様３１）
少なくとも１つの試薬プローブを有する少なくとも１つの試薬プローブ移動装置を備え、前記少なくとも１つのプローブ移動装置が、該少なくとも１つの試薬プローブを前記試薬パックの選択された１つの中に選択可能に配置するように前記トレイに近接した前記第１の軸に沿って移動可能であることを特徴とする実施態様３０記載の試薬取扱装置。
（実施態様３２）
前記傾斜駆動装置が、水平線に関して傾いた前記トレイにより画成される吸引位置を有し、前記床表面の低い地点が前記少なくとも１つの試薬プローブに関して実質的に垂直に位置合せされていることを特徴とする実施態様３１記載の試薬取扱装置。
（実施態様３３）
前記少なくとも１つの試薬プローブ移動装置が、前記試薬パックの側壁に対して実質的に平行かつ前記第１の軸に対して垂直な軸に沿って前記少なくとも１つの試薬プローブを移動させるための駆動手段を備えていることを特徴とする実施態様３１記載の試薬取扱装置。
（実施態様３４）
前記ヒンジを介して前記トレイとつながって、その上に配置された試薬パックを冷却するためのトレイ冷却板を付与する冷却手段を備えていることを特徴とする実施態様３０記載の試薬取扱装置。
（実施態様３５）
複数の試薬パックにおいて、各々の試薬パックが、
（ｉ）  対向して平行な端部壁、該端部壁に対して実質的に垂直な対向して平行な側壁、該端部壁と側壁に取り付けられそれらの下側縁にある床表面、および前記端部壁に対して実質的に平行で前記側壁の間に配置された少なくとも１つの中間壁により形成された複数のチャンバであって、前記端部壁、側壁および中間壁がパックの上側縁を画成している複数のチャンバ、
（ｉｉ）１組の混合バッフルであって、該バッフルの各々が前記床表面から前記パックの上側縁まで前記側壁のそれぞれ１つの上に配置され、前記側壁の対向する１つに向かって延び、前記少なくとも１つの中間壁の同様の側に配置され、前記複数のチャンバの１つを実質的に等しい容積を有し該バッフルの間に形成されたスロート領域により相互に接続された２つのサブチャンバに区切り、該バッフルの一方がもう一方のバッフルよりも前記第１の端部により近接しているバッフル、および
（ｉｉｉ）  少なくとも１つのフイルムから形成された複数の貫通可能な領域を有する蓋、ここで前記パックの上側縁に配置可能な該蓋が前記複数のチャンバを完全に覆い、該複数の貫通可能な領域の各々が該複数のチャンバのそれぞれ１つの上に位置合せされた蓋、を有してなる試薬パックと、
複数の試薬パックスライドであって、該スライドの各々が、前記試薬取扱装置内でその上に配置されたそれぞれの試薬パックを摺動可能に移動させるためのスライドと、
第１の軸に沿って近接した配置にある前記複数の試薬パックスライドを摺動可能に維持するトレイと、
前記トレイに機械的に接続された傾斜駆動装置およびヒンジであって、該ヒンジおよび前記第１の軸の周りに前記トレイを選択可能に傾けるための傾斜駆動装置およびヒンジと、
からなる試薬取扱装置。
（実施態様３６）
少なくとも１つの試薬プローブを有する少なくとも１つの試薬プローブ移動装置を備え、前記少なくとも１つのプローブ移動装置が、前記複数の貫通可能な領域のうちの１つを通して前記試薬パックの選択された１つの内部に前記少なくとも１つの試薬プローブを選択可能に配置するように前記トレイに近接した前記第１の軸に沿って移動可能であることを特徴とする実施態様３５記載の試薬取扱装置。
（実施態様３７）
前記バッフルの各々が前記側壁の間の前記試薬パックを横切って半分より長く延びることを特徴とする実施態様３５記載の試薬取扱装置。
（実施態様３８）
前記床表面が複数の凹部領域を有し、該凹部領域の各々が前記複数のチャンバのそれぞれ１つと関連していることを特徴とする実施態様３５記載の試薬取扱装置。
（実施態様３９）
前記複数の貫通可能な領域が、前記試薬パックが吸引位置において前記第１の軸およびヒンジの周りに傾けられたときに、それぞれの凹部領域の上に各々実質的に位置合せされることを特徴とする実施態様３８記載の試薬取扱装置。
（実施態様４０）
前記少なくとも１つの試薬プローブ移動装置が、前記試薬パックの側壁に実質的に平行かつ前記第１の軸に対して垂直な軸に沿って前記少なくとも１つの試薬プローブを移動させるための駆動手段を備えて、前記少なくとも１つの試薬プローブを前記チャンバの選択された１つの内部に選択可能に配置することを特徴とする実施態様３６記載の試薬取扱装置。
（実施態様４１）
前記ヒンジを介して前記トレイとつながってその上に配置された試薬パックを冷却するためのトレイ冷却板を付与する冷却手段を備えていることを特徴とする実施態様３５記載の試薬取扱装置。
（実施態様４２）
流体物質を供給するための試薬パックにおいて、
側面、端部および底部を有する細長い容器であって、該側面および端部が上側縁を有し、該底部とともにチャンバを画成し、該チャンバが前記流体材料を保持するものである容器と、
前記チャンバ内に配置されたバッフルであって、該バッフルが、前記パックが前記側面に垂直な水平軸の周りに揺り動かされたときに、前記流体物質内に乱流を生じるように動作するバッフルと、を有してなる試薬パック。
（実施態様４３）
前記側面を横切って配置され、前記側面、端部および底部とともに、前記流体物質を保持する複数のサブチャンバを画成する少なくとも１つの中間壁を備えることを特徴とする実施態様４２記載の試薬パック。
（実施態様４４）
前記底部が前記チャンバ内に配置された凹部を備えていることを特徴とする実施態様４２記載の試薬パック。
（実施態様４５）
前記バッフルが、前記チャンバ内でその中に配置された少なくとも１つの実質的に垂直な側面突起物を備えていることを特徴とする実施態様４２記載の試薬パック。
（実施態様４６）
前記突起物のうちの２つが、前記チャンバを該突起物により画成されたスロート領域により接続されている部分に区切ることを特徴とする実施態様４５記載の試薬パック。
（実施態様４７）
前記突起物のうちの１つが、別の突起物よりも第１の端部により近接して、前記スロートに対してＳ字カーブを形成していることを特徴とする実施態様４６記載の試薬パック。
（実施態様４８）
前記上側縁にある使い捨ての蓋を備えていることを特徴とする実施態様４２記載の試薬パック。
（実施態様４９）
前記蓋が複数の開口部を有し、該開口部の各々が前記チャンバのそれぞれの１つの上に同時に配置できることを特徴とする実施態様４８記載の試薬パック。
（実施態様５０）
複数の試薬パックを取り扱う試薬取扱装置において、
複数の試薬パックスライドであって、該スライドの各々が、前記試薬取扱装置内でその上に配置されたそれぞれの試薬パックを摺動可能に移動させるためのスライド、
第１の軸に沿って近接した配列で前記複数の試薬パックスライドを摺動可能に維持するトレイ、および
該トレイに機械的に接続された傾斜駆動装置およびヒンジであって、該ヒンジおよび前記第１の軸の周りに前記トレイを選択可能に傾けるための傾斜駆動装置およびヒンジ、
を有してなることを特徴とする試薬取扱装置。
（実施態様５１）
前記ヒンジを介して前記トレイとつながって、その上に配置された試薬パックを冷却するためのトレイ冷却板を付与する冷却手段を提供することを特徴とする実施態様５０記載の試薬取扱装置。